(57)【特許請求の範囲】
【請求項１】
バスラインの各ラインに対応してバッファアンプ及び終端抵抗が複数対設けられ前記各ライン毎に該当終端抵抗を介して該当バッファアンプにより所定電圧の出力がなされるアクティブターミネータ用ＩＣにおいて、前記バッファアンプ及び終端抵抗の対に準じた一対のバッファアンプ及び付加抵抗が付設され、且つ前記付加抵抗のバッファアンプ非接続側に接続された一対のパッドが設けられていることを特徴とするアクティブターミネータ用ＩＣ。
【請求項２】
バスラインの各ラインに対応してバッファアンプ及び終端抵抗が複数対設けられ前記各ライン毎に該当終端抵抗を介して該当バッファアンプにより所定電圧の出力がなされるとともに、前記バッファアンプに準じた電圧モニタ用バッファアンプが付設されたアクティブターミネータ用ＩＣにおいて、前記電圧モニタ用バッファアンプの出力に対して前記終端抵抗に準じた付加抵抗が付設され、且つ前記付加抵抗のバッファアンプ非接続側に接続された一対のパッドが設けられていることを特徴とするアクティブターミネータ用ＩＣ。
【請求項３】
前記終端抵抗および前記付加抵抗のそれぞれに付設された抵抗値調整用抵抗と、前記抵抗値調整用抵抗のそれぞれに対応して設けられ該当抵抗値調整用抵抗を介して前記所定電圧を出力するバッファアンプとを備え、これらのバッファアンプはそれぞれ制御信号に応じて出力状態が前記所定電圧の出力状態および他の出力状態の何れかに切り換えられるものであり、前記制御信号のラインは複数が共通接続され且つこの共通接続されたラインに対してリペア部位が形成されていることを特徴とする請求項１又は２に記載のアクティブターミネータ用ＩＣ。
【請求項４】
前記終端抵抗または前記抵抗値調整用抵抗が、正の温度特性を示す抵抗と負の温度特性を示す抵抗との対を含むものであることを特徴とする請求項３記載のアクティブターミネータ用ＩＣ。
【発明の詳細な説明】
【０００１】
【発明の属する技術分野】
この発明は、ＳＣＳＩ等のバスラインの終端に接続されてバスラインの高速動作を可能とするアクティブターミネータの回路が集積されたアクティブターミネータ用ＩＣに関し、詳しくは、終端抵抗の精度向上やその抵抗値のプローブテストに関連しての寄生容量を低減することによって高速動作を可能とするアクティブターミネータ用ＩＣに関する。
【０００２】
【従来の技術】
複数のドライブユニット間で信号を伝達するバスラインに対しては、リンギング防止等のため各ラインごとに終端抵抗が接続され、且つ各終端抵抗の抵抗値が該当ラインの特性インピーダンスに整合するようにされるとともに、バスラインの高速動作を可能とするために各ラインに対して終端抵抗を介して所定電圧の出力がなされる。また、他のアクティブターミネータとの競合などを回避可能とするために、終端抵抗を介する所定電圧の出力を制御信号に応じて選択的に行うこともなされる。
【０００３】
図５に示した従来の基本的なアクティブターミネータは、上記の回路を１チップに集積したアクティブターミネータ用ＩＣを用いて、複数のドライブユニット４１，４２，…がバス結合できるシステムをコンパクトにしたものである。すなわち、このアクティブターミネータ用ＩＣ１０には、外部接続用のボンディングパッド３９を介して電源電圧Ｖccを受けるレギュレータ２が設けられて所定電圧としてのプルアップ電圧Ｖｕｐが生成出力され、ボンディングパッド３７を介して外付けされたコンデンサＣによってプルアップ電圧Ｖｕｐが平滑化されるとともに、外部接続されるバスラインにおけるｎ本の各ラインＢＵＳ１〜ＢＵＳｎそれぞれに対応して終端抵抗Ｒ及びボンディングパッド３１〜３ｎが設けられている。そして、バスラインＢＵＳ１に対応するボンディングパッド３１及び該当終端抵抗Ｒは、該当終端抵抗Ｒの一端がボンディングパッド３１に接続され他端がスイッチＳＷ１を介してレギュレータ２の出力に接続される。
【０００４】
また、バスラインＢＵＳ２に対応するボンディングパッド３１にその該当終端抵抗Ｒの一端が接続され他端がスイッチＳＷ２を介してレギュレータ２の出力に接続され、バスラインＢＵＳｎに対応するボンディングパッド３ｎにその該当終端抵抗Ｒの一端が接続され他端がスイッチＳＷｎを介してレギュレータ２の出力に接続される。バスラインの他の各ラインに対応するボンディングパッド及び該当終端抵抗も同様である。そして、各スイッチＳＷ１〜ＳＷｎがボンディングパッド３８を介して外部から受ける制御信号ＣＴＲＬに従って開閉することで、バスラインに対して選択的にプルアップ電圧Ｖｕｐを出力したり他の出力状態具体にはフロート状態にするといった切り換えがおこなわれるようになっている。
【０００５】
図６に示したアンプ駆動のアクティブターミネータ用ＩＣ１１は、バスラインの各ラインに対応してバッファアンプ及び終端抵抗が複数対設けられ各ライン毎に該当終端抵抗を介して該当バッファアンプにより所定電圧の出力がなされるものである。すなわち、外付けコンデンサＣを不要にするとともに高速動作性能やアイソレーション性能を向上させるために、上述のアクティブターミネータ用ＩＣ１０におけるレギュレータ２とスイッチＳＷ１〜ＳＷｎとの組み合わせに代えて、基準電圧となるプルアップ電圧Ｖｕｐを発生するバンドギャップ電圧源２ａが設けられ、さらにバンドギャップ電圧源２ａの出力を受けこれを電流増幅して出力するＮ個のバッファアンプ２１〜２ｎも設けられる。
【０００６】
これらのバッファアンプのうちバッファアンプ２１の出力は該当終端抵抗Ｒを介してボンディングパッド３１へ送出され、バッファアンプ２２の出力は該当終端抵抗Ｒを介してボンディングパッド３２へ送出され、バッファアンプ２ｎの出力は該当終端抵抗Ｒを介してボンディングパッド３ｎへ送出されるように接続がなされる。他のバッファアンプも同様である。さらに、バッファアンプ２１〜２ｎは、それぞれ、ボンディングパッド３９を介して制御信号ＣＴＲＬを受けこれに従って出力状態が所定電圧の出力状態およびフロート状態等の他の出力状態の何れかに切り換えられるようになっている（特開平７−２６１８９０号公報，特開平７−２４０６４２号公報参照）。
【０００７】
そして、各終端抵抗Ｒの抵抗値を規格等によって定められた所定の範囲内に収めるには、終端抵抗Ｒそれぞれに抵抗値調整用抵抗を付設しておいて、その抵抗値調整用抵抗の接続状態を断続させて調整する必要がある。例えば終端抵抗Ｒの理想値が１００Ωであっても９９Ω〜１０１Ωの範囲でばらつくような場合には、図７に示したように１０１Ωの基礎的な終端抵抗に対して１０ＫΩの抵抗値調整用抵抗を二個ほど並列接続させるとともに、これらの抵抗値調整用抵抗のラインにレーザカット可能なリペア部位９１（又は９２）を介挿させて形成しておき、ＩＣ製造における前工程終了後に測定された終端抵抗Ｒの値が９８Ωのときには抵抗値調整用抵抗を２本とも切り離して１００Ωにさせ、終端抵抗Ｒの値が９９Ωのときには抵抗値調整用抵抗を１本だけ切り離して１００Ωにさせ、終端抵抗Ｒの値が１００Ωのときにはそのままとする。このような調整作業を各終端抵抗Ｒごとに行うことが必要である。
【０００８】
また、終端抵抗Ｒの抵抗値調整に先立つＩＣ内抵抗値の測定に際してはウエハダイシング前にプローブテストが行われるが、プローブテスト時にプローブとパッドとの接触抵抗が変動し易いことに起因する測定誤差の発生を回避するには、電流強制用パッドの他に電圧検出用パッドも並設しておく必要がある。具体的には、図８に示すように、ボンディングパッド３１に一端が接続された終端抵抗Ｒの抵抗値を測定するには、ボンディングパッド３１と共に終端抵抗Ｒの一端に接続されたダミーパッド３１ａを設けておく。また、終端抵抗Ｒの他端側にはパッド７１及びパッド７１ａを設けておく。そして、プローブテストに際しては、定電流Ｉをプローブピン７ａから順にボンディングパッド３１，終端抵抗Ｒ，パッド７１経由でプローブピン７ｂへ強制的に流しながら、パッド７１ａの電圧Ｖ１をプローブピン７ｃで検出し、ダミーパッド３１ａの電圧Ｖ２をプローブピン７ｄで検出する。そうすると、式｛Ｒ＝（Ｖ２−Ｖ１）／Ｉ｝によって、接触抵抗の影響の無い測定値が得られる。
【０００９】
図９に示した抵抗値測定可能なアクティブターミネータ用ＩＣ１２は、そのようなプローブテストを可能とするために、ボンディングパッド３１〜３ｎそれぞれにダミーパッド３１ａ〜３ｎａを並設したものである。これによって、バスラインＢＵＳ１に対応した終端抵抗Ｒはボンディングパッド３１を電流Ｉ強制用パッドとしダミーパッド３１ａを電圧Ｖ２検出用パッドとして抵抗値を測定することが可能となっている。他の終端抵抗Ｒについても同様である。また、アクティブターミネータ用ＩＣ１２には、バスラインＢＵＳ１〜ＢＵＳｎの何れにも対応しない別個のボンディングパッド３０と、バッファアンプ２１等とほぼ同一構造の電圧モニタ用バッファアンプ２０とが設けられ、バンドギャップ電圧源２ａからのプルアップ電圧Ｖｕｐがバッファアンプ２０及びボンディングパッド３０を介して外部からモニタ可能なようになっている。
【００１０】
【発明が解決しようとする課題】
このような従来のアクティブターミネータ用ＩＣでは、終端抵抗の抵抗値を測定する場合、電流強制可能な各ボンディングパッド毎に電圧検出用のダミーパッドを予め並設しておくことが必要なため、これによってチップ面積の増大を招くと共に、寄生容量が増えてバス動作の高速性が劣化することとなる。また、バスラインのライン数に対応して多数存在している終端抵抗の値を一つ一つ測定しながらリペアするのは工数が掛かり過ぎてコストアップを招くことにもなる。
【００１１】
このため、バスラインの規格による規定範囲や実用上の要求精度が許容する場合は、終端抵抗の測定・調整を行わずに実用に供していた。また、規格等の要求精度が厳しい場合は、終端抵抗の測定・調整を行う代わりに、高価であっても寄生容量が大きいものを提供するしかなかった。
しかしながら、汎用ＣＰＵの高速化等により、バスライン特に周辺機器を結ぶＳＣＳＩ等のデバイスバスについても高速動作の要求が一段と厳しさを増してきた。
【００１２】
そして、そのような要請に応えるには、ＩＣ内蔵の終端抵抗について抵抗値を測定してＩＣの選別や抵抗値の調整まで行ってでも終端抵抗の値を要求精度内に収めるとともに、寄生容量をも小さくして、バス動作の高速性能を高める必要がある。ただし、コスト要求も依然として厳しいので、終端抵抗に対する測定作業や調整作業を行うにしても、その作業工数はできるだけ少なくしなければならない。
そこで、終端抵抗の測定が容易で選別工数等が少なくて済み、寄生容量が小さくて高速動作が可能であり、終端抵抗の調整も楽でコストも掛からないような構造のアクティブターミネータ用ＩＣを案出することが課題となる。
【００１３】
この発明は、このような課題を解決するためになされたものであり、終端抵抗の測定が容易であって而も寄生容量が小さいアクティブターミネータ用ＩＣを実現することを目的とする。
また、本発明は、終端抵抗の調整が容易なアクティブターミネータ用ＩＣを実現することを目的とする。
【００１４】
【課題を解決するための手段】
このような課題を解決するために発明された第１乃至第５の解決手段について、その構成および作用効果を以下に説明する。
【００１５】
［第１の解決手段］
第１の解決手段のアクティブターミネータ用ＩＣは（、出願当初の請求項１に記載の如く）、外部接続されるバスラインの各ラインに対応してバッファアンプ及び終端抵抗が複数対設けられ前記各ライン毎に該当終端抵抗を介して該当バッファアンプにより所定電圧の出力がなされるアクティブターミネータ用ＩＣにおいて、前記バッファアンプ及び終端抵抗の対に準じた一対のバッファアンプ及び付加抵抗が（前記各ラインとは別個に）付設されるとともに、一対のパッドが設けられ、この一対のパッドは、前記付加抵抗の端子のうちバッファアンプが接続されていない方の端子に接続されているものである。
【００１６】
ここで、上記の「準じた」とは、理想的な完全同一構造に加えて、所定電圧の出力特性が一致するような主要部同一の構成も含む意味であり、所定電圧の出力特性に影響しない切換回路の有無等は相違として考慮されない。本明細書の他のところでも同様である。
【００１７】
このような第１の解決手段のアクティブターミネータ用ＩＣにあっては、付加抵抗に接続された一対のパッドを利用して付加抵抗の抵抗値が測定される。すなわち、一対のパッドの一方を電流強制用パッドとし他方を電圧測定用パッドとし付加バッファアンプを強制電流の受け皿としてプローブテストを行うことで、接触抵抗の変動による影響を回避して正確な抵抗値を得ることができる。そして、選別作業等に際しては、この付加抵抗についての測定値を各終端抵抗の抵抗値と推定し、その推定値に基づいて作業が行なわれる。
ＩＣの場合、同一ＩＣ内に形成された同一・同様構造の抵抗やアンプ等の回路素子は、別のＩＣのものと比較して、抵抗値等のばらつきがほとんどないので、上記の推定における確度は高い。
【００１８】
これにより、多数の終端抵抗を総て直接に測定する必要が無くなって１回の測定で済ませられるので、終端抵抗の測定が容易になる。しかも、直接測定の不要な各終端抵抗に対応した各ボンディングパッド即ちバスライン接続用のパッドに対して付加パッドを並設するという必要も無くなるので、その分だけ寄生容量が小さくて済む。
したがって、この発明によれば、終端抵抗の測定が容易であって而も寄生容量が小さいアクティブターミネータ用ＩＣを実現することができる。
【００１９】
［第２の解決手段］
第２の解決手段のアクティブターミネータ用ＩＣは（、出願当初の請求項２に記載の如く）、外部接続されるバスラインの各ラインに対応してバッファアンプ及び終端抵抗が複数対設けられ前記各ライン毎に該当終端抵抗を介して該当バッファアンプにより所定電圧の出力がなされるとともに、前記バッファアンプに準じた電圧モニタ用バッファアンプが（前記各ラインとは別個に）既に付設されているアクティブターミネータ用ＩＣにおいて、前記電圧モニタ用バッファアンプの出力に対して前記終端抵抗に準じた付加抵抗が付設されるとともに、一対のパッドが設けられ、この一対のパッドは、前記付加抵抗の端子のうちバッファアンプが接続されていない方の端子に接続されているものである。
【００２０】
このような第２の解決手段のアクティブターミネータ用ＩＣにあっては、既設のモニタ用バッファアンプを強制電流の受け皿として流用して付加抵抗の抵抗値測定が行われる。
これにより、モニタ用バッファアンプが既設されている場合、上述した第１の解決手段を具現化する際に、付加バッファアンプを新規に追加する必要が無くなる。そこで、バッファアンプの付加に伴う回路規模の増大やレイアウト変更などがその分だけ少なくて済むこととなる。
したがって、この発明によれば、終端抵抗の測定が容易であって而も寄生容量が小さいアクティブターミネータ用ＩＣを実現するに際して回路規模の増大やレイアウト変更などを抑制しつつ具体化することができる。
【００２１】
［第３の解決手段］
第３の解決手段のアクティブターミネータ用ＩＣは（、出願当初の請求項３に記載の如く）、外部接続されるバスラインの各ラインに対応してバッファアンプ及び終端抵抗が複数対設けられ前記各ライン毎に該当終端抵抗を介して該当バッファアンプにより所定電圧の出力がなされるアクティブターミネータ用ＩＣにおいて、前記終端抵抗のそれぞれに抵抗値調整用抵抗が付設されるとともに、前記抵抗値調整用抵抗のそれぞれに対応してバッファアンプが付設されて、これらのバッファアンプはそれぞれ該当抵抗値調整用抵抗を介して前記バスラインの該当ラインに前記所定電圧の出力を行うものであり、しかも、これらのバッファアンプはそれぞれ制御信号に応じて出力状態が前記所定電圧の出力状態および他の出力状態の何れかに切り換えられるものであり、さらに前記制御信号のラインは複数が共通接続され、且つこの共通接続されたラインに対してリペア部位が形成されているものである。
【００２２】
このような第３の解決手段のアクティブターミネータ用ＩＣにあっては、終端抵抗についての抵抗値調整に際し、バスラインの各ラインのうち何れか一つのラインに対応している基礎的な終端抵抗とこれに付設の抵抗値調整用抵抗との合成抵抗の値が所望の許容範囲内に収まるように、リペア部位に対して調整作業が行われる。すなわち、その基礎的終端抵抗単独での抵抗値が大きすぎるときには抵抗値調整用抵抗が並列接続状態となる結線作業を行って合成抵抗の値が下がるようにしたり、終端抵抗とこれに接続された抵抗値調整用抵抗との合成による抵抗値が小さすぎるときには抵抗値調整用抵抗を切り離す断線作業を行って合成抵抗の値が上がるようにしたりして、対象ラインの合成終端抵抗値が規格等によって定められた所定の範囲内に収まるように調整作業が進められる。
【００２３】
こうして、バスラインの一ライン分について終端抵抗の調整作業が終了すると、抵抗値調整用抵抗の断続が個々の抵抗値調整用抵抗に対して直接施されるのでなく制御信号の断続に基づくバッファアンプ出力状態の切り換えによって間接的に施されることと、リペア部位が制御信号の共通接続部分に形成されていることとに基づいて、バスラインの他のライン分についても一挙に終端抵抗の調整作業が終わることとなる。しかも、上述したように、同一ＩＣ内に形成された同一・同様構造の抵抗やアンプ等の回路素子は別のＩＣのものと比較して抵抗値等のばらつきがほとんどないので、他のラインについても、自動的に所望の終端抵抗値が得られる。
【００２４】
これにより、バスラインの全ライン分の抵抗値調整作業を一ライン分の作業に纏めて済ませることができるので、各ラインごとに作業を行うのに比べて、調整工数が少なくなる。
したがって、この発明によれば、終端抵抗の調整が容易なアクティブターミネータ用ＩＣを実現することができる。
【００２５】
［第４の解決手段］
第４の解決手段のアクティブターミネータ用ＩＣは（、出願当初の請求項４に記載の如く）、上記第１，第２の解決手段のアクティブターミネータ用ＩＣであって、前記終端抵抗および前記付加抵抗のそれぞれに付設された抵抗値調整用抵抗と、前記抵抗値調整用抵抗のそれぞれに対応して設けられ該当抵抗値調整用抵抗を介して前記所定電圧を出力するバッファアンプとを備え、これらのバッファアンプはそれぞれ制御信号に応じて出力状態が前記所定電圧の出力状態および他の出力状態の何れかに切り換えられるものであり、前記制御信号のラインは複数が共通接続され且つこの共通接続されたラインに対してリペア部位が形成されているものである。
【００２６】
このような第４の解決手段のアクティブターミネータ用ＩＣにあっては、上記の第１又は第２の解決手段と，第３の解決手段との双方の構成が兼ね備わっている。
これにより、各ボンディングパッドごとにダミーパッドを付加しなくても、終端抵抗値の測定を一回で済ませるとともに、それに続く終端抵抗値の調整も一ライン分で済ませることができる。
したがって、この発明によれば、終端抵抗の測定および調整が容易であって而も寄生容量が小さいアクティブターミネータ用ＩＣを実現することができる。
【００２７】
［第５の解決手段］
第５の解決手段のアクティブターミネータ用ＩＣは（、出願当初の請求項５に記載の如く）、上記第３，第４の解決手段のアクティブターミネータ用ＩＣであって、前記終端抵抗または前記抵抗値調整用抵抗が、正の温度特性を示す抵抗と負の温度特性を示す抵抗との対を含むものである。
【００２８】
このような第５の解決手段のアクティブターミネータ用ＩＣにあっては、終端抵抗についての抵抗値調整に際し、低温および高温の両状態で抵抗値を測っておき、これに基づいて温度特性も相殺されるように調整することが可能となる。
これにより、ＩＣの周囲温度が大きく変化したときでも、終端抵抗値が確実に許容範囲内に保たれる。
したがって、この発明によれば、温度変化の激しい環境下であってもバスを安定して高速動作させることができる。
【００２９】
【発明の実施の形態】
このような解決手段で達成された本発明のアクティブターミネータ用ＩＣについて、これを実施するための具体的形態を、図１に示した第１実施例、図３に示した第２実施例、図４に示した第３実施例、図２に示した終端抵抗の構成例の順に説明する。
第１実施例は上述の第１及び第２の解決手段を具体化したものであり、第２実施例は上述の第３の解決手段を具体化したものであり、第３実施例は上述の第４の解決手段を具体化したものであり、最後の終端抵抗構成例は、上述の第５の解決手段を具体化したものである。
なお、図示に際して従来と同様の構成要素には同一の符号を付して示したので、重複する再度の説明は割愛し、以下、従来例との相違点を中心に説明する。
【００３０】
図１に回路図を示した第１実施例のアクティブターミネータ用ＩＣ１００は、従来例における図９のアクティブターミネータ用ＩＣ１２と対比されるものであり、ダミーパッド３１ａ〜３ｎａが取り除かれた代わりに、付加抵抗Ｒ０とダミーパッド１３０とダミーパッド１３０ａとが新たに導入されている。
【００３１】
付加抵抗Ｒ０は、既設の終端抵抗Ｒと同一の構造で形成され、一端が電圧モニタ用バッファアンプ２０の出力ラインに接続され他端が新設のダミーパッド１３０に接続される。
ダミーパッド１３０の近くにはこれと対をなすダミーパッド１３０ａも並設され、これらは接続ラインで結ばれる。
これにより、アクティブターミネータ用ＩＣ１００は、バッファアンプ２１〜２ｎ及び終端抵抗Ｒの対に準じた一対のバッファアンプ２０及び付加抵抗Ｒ０がバスラインの各ラインＢＵＳ１〜ＢＵＳｎと対応することなく別個に付設され、且つ付加抵抗Ｒ０のバッファアンプ２０非接続側に接続された一対のパッド１３０，１３０ａが設けられたものとなっている。
【００３２】
この第１実施例のアクティブターミネータ用ＩＣについて、その使用態様及び動作を説明する。
アクティブターミネータとしての通常の使用時には、バスラインに接続されたドライブユニットによる信号駆動状態の変化等に応じて各ラインＢＵＳ１〜ＢＵＳｎの電圧は急峻に変化させられ、それに対応して終端抵抗Ｒを介してのバッファアンプ２１〜２ｎによる充放電も繰り返されるが、ボンディングパッド３１〜３ｎにダミーパッド３１ａ〜３ｎａが並設されていないので、その分だけ充放電が短時間で行われて、各ラインＢＵＳ１〜ＢＵＳｎの電圧状態等が速やかに遷移して安定する。こうして、バスが安定して高速動作可能となる。
【００３３】
次に、プローブテストによる終端抵抗値の測定について述べる。ここで直接に測定されるのは各終端抵抗Ｒではなく付加抵抗Ｒ０だけである。
付加抵抗Ｒ０を対象とした抵抗値測定は、定電流Ｉをプローブピンを介してダミーパッド１３０へ強制的に流して行われる。このとき、定電流Ｉがダミーパッド１３０から付加抵抗Ｒ０を経由してバッファアンプ２０へ流れる。さらに、この定電流Ｉを維持した状態で、ボンディングパッド３０の電圧Ｖ１をプローブピンで検出するとともに、ダミーパッド１３０ａの電圧Ｖ２も他のプローブピンで検出する。そうすると、式｛Ｒ０＝（Ｖ２−Ｖ１）／Ｉ｝によって、接触抵抗の影響の無い測定値が得られる。
【００３４】
そして、付加抵抗Ｒ０の測定値が得られた後は、この値が終端抵抗Ｒの許容範囲内にあれば、各終端抵抗Ｒも総て許容範囲内に収まっているものとして、そのＩＣが良品であると判別される。これに対し、付加抵抗Ｒ０の測定値が終端抵抗Ｒの許容範囲内になければ、各終端抵抗Ｒも許容範囲内に収まっていないものとして、そのＩＣが不良品であると判別される。
こうして、選別作業が素早くなされる。
【００３５】
なお、この例では電圧Ｖ１を測定するに際してボンディングパッド３０を用いたが、次のようにしてボンディングパッド３０を用いることなく電圧Ｖ１に相当する測定値を得ることも可能である。すなわち、定電流Ｉなどの強制電流を付加抵抗Ｒ０に流さない状態のときに、入力抵抗が無限大に近い例えばＦＥＴ形の測定器等でダミーパッド１３０或いはダミーパッド１３０ａの電圧を測定しておき、この測定値を電圧Ｖ１として上述の式の演算を行う。この測定値と電圧Ｖ１との相違は、電圧Ｖ２を測定するときの強制電流がバッファアンプ２０の駆動能力を超えない限り、極めて微小となるので実用上無視できる。
【００３６】
また、次の方法によっても、ボンディングパッド３０を用いることなく付加抵抗Ｒ０の抵抗値測定を行うことも可能である。すなわち、ダミーパッド１３０に定電流Ｉを強制してダミーパッド１３０ａの電圧Ｖ２を測定したのと同様にして、やはりバッファアンプ２０の駆動能力を超えない異なる定電流Ｉ３をダミーパッド１３０に強制してそのときのダミーパッド１３０ａの電圧Ｖ３も測定する。そして、この場合は、式｛Ｒ０＝（Ｖ３−Ｖ２）／（Ｉ３−Ｉ２）｝によって、実用的な測定値が得られることとなる。
【００３７】
図３に回路図を示した第２実施例のアクティブターミネータ用ＩＣ２００は、従来例における図６のアクティブターミネータ用ＩＣ１１と対比されるものであり、図７における各終端抵抗Ｒ毎のリペア部位９１，９２，…が取り除かれた代わりに、バッファアンプ２１ａ，２１ｂ，〜，２ｎａ，２ｎｂとリペア部位９００とが新たに導入されている。
【００３８】
バッファアンプ２１ａ，２１ｂは、バッファアンプ２１と同様のものであり、プルアップ電圧Ｖｕｐを入力とし電流増幅を行うとともに制御信号ＣＴＲＬに応じて出力状態がプルアップ電圧Ｖｕｐ（所定電圧）の出力状態およびハイインピーダンスのフロート状態（他の出力状態）の何れかに切り換えられるものとなっている。バッファアンプ２１〜２ｎに付設された他のバッファアンプ２２ａ，２２ｂ，〜，２ｎａ，２ｎｂも同様である。
【００３９】
バスラインＢＵＳ１に対応した終端抵抗Ｒは、従来同様に１０１Ωの終端抵抗２８１とこれに付設された２個の１０ＫΩの抵抗値調整用抵抗２８１ａ，２８１ｂとからなるが、これらの抵抗のボンディングパッド３１側端子は何れもリペア部位９１を介することなく共にボンディングパッド３１へ直接的に接続される。また、終端抵抗２８１の他の端子はバッファアンプ２１の出力ラインに接続され、抵抗値調整用抵抗２８１ａの他の端子はバッファアンプ２１ａの出力ラインに接続され、さらに抵抗値調整用抵抗２８１ｂの他の端子はバッファアンプ２１ｂの出力ラインに接続される。他のバスラインＢＵＳ２〜ＢＵＳｎに対応した終端抵抗Ｒも同様のものである。
【００４０】
これにより、アクティブターミネータ用ＩＣ２００は、終端抵抗２８１〜２８ｎのそれぞれに抵抗値調整用抵抗２８１ａ，２８１ｂ，〜，２８ｎａ，２８ｎｂが付設され、これらの抵抗値調整用抵抗２８１ａ，２８１ｂ，〜，２８ｎａ，２８ｎｂのそれぞれに対応してバッファアンプ２１ａ，２１ｂ，〜，２ｎａ，２ｎｂが設けられ、これらのバッファアンプがそれぞれ該当抵抗値調整用抵抗を介してバスラインの該当ラインを所定電圧Ｖｕｐに終端させるものとなっている。
【００４１】
また、アクティブターミネータ用ＩＣ２００では、バッファアンプ２１，２２〜２ｎに対する制御信号ＣＴＲＬの複数ラインが共通接続されてからボンディングパッド３８に結ばれ、バッファアンプ２１ａ，２２ａ〜２ｎａに対する制御信号ＣＴＲＬの複数ラインが共通接続されてからボンディングパッド３８に結ばれ、バッファアンプ２１ｂ，２２ｂ〜２ｎｂに対する制御信号ＣＴＲＬの複数ラインが共通接続されてからボンディングパッド３８に結ばれる。さらに、バッファアンプ２１ａ等に対する制御信号ＣＴＲＬの共通接続されたラインに対してレーザカッティングポイント９０１が形成されるとともに、バッファアンプ２１ｂ等に対する制御信号ＣＴＲＬの共通接続されたラインに対してもレーザカッティングポイント９０２が形成される。これらのレーザカッティングポイント９０１，９０２からなるリペア部位９００は、リペア作業のし易いところに配置される。
【００４２】
この第２実施例のアクティブターミネータ用ＩＣについて、その使用態様及び動作を説明する。アクティブターミネータとしての通常の使用時における動作等は従来とほぼ同様になるので、以下、終端抵抗Ｒに関する抵抗値調整作業について説明する。
【００４３】
終端抵抗Ｒの値を調整するには、先ず何れか一つの終端抵抗Ｒ例えばボンディングパッド３１に接続された終端抵抗Ｒの抵抗値を測定しておく。そして、その測定値が理想値の１００ΩであればそのＩＣはそのままとし、その測定値が９９Ωのときにはレーザカッティングポイント９０１，９０２の何れか一方だけを切断し、その測定値が９８Ωのときにはレーザカッティングポイント９０１，９０２の双方を切断して、抵抗値調整作業を終える。
【００４４】
そして、調整されたアクティブターミネータ用ＩＣ２００がバスラインに接続され、さらに制御信号ＣＴＲＬを受けると、切断されなかった制御信号ＣＴＲＬのラインに対応したバッファアンプからプルアップ電圧Ｖｕｐが該当抵抗を介して該当バスラインへ供給される一方、切断された制御信号ＣＴＲＬのラインに対応したバッファアンプは出力状態がフロート状態のままでそれに該当する抵抗は該当バスラインの終端に寄与しない。
こうして、バスラインの各ラインが総て理想値に近い抵抗によって終端されることとなる。
【００４５】
図４に回路図を示した第３実施例のアクティブターミネータ用ＩＣ３００は、上記のアクティブターミネータ用ＩＣ１００，２００を併せたものである。すなわち、従来例におけるダミーパッド３１ａ〜３ｎａ及びリペア部位９１，９２，…が取り除かれた代わりに、付加抵抗Ｒ０とダミーパッド１３０とダミーパッド１３０ａとバッファアンプ２１ａ，２１ｂ，〜，２ｎａ，２ｎｂとリペア部位９００とが新たに導入されている。
これによって、アクティブターミネータ用ＩＣ３００は上記のアクティブターミネータ用ＩＣ１００，２００双方の長所を兼備する。
【００４６】
図２に示した終端抵抗は、上記の第１〜第３実施例の何れの終端抵抗Ｒについても適用可能なものであり、各終端抵抗Ｒを構成する基礎的な終端抵抗およびこれに付設された一個又は二個以上の抵抗値調整用抵抗が共に正の温度特性を示す抵抗と負の温度特性を示す抵抗との対を含むものである。
すなわち、図中“＋”の記号を付したものが正の温度特性を示す抵抗であり“−”の記号を付したものが負の温度特性を示す抵抗であるが、図２の終端抵抗Ｒは、１０１Ωの基礎的な終端抵抗が、共に２０２Ωの正特性抵抗２８３と負特性抵抗２８４との並列接続によって構成され、これだけでも温度特性が変動分を相殺しあうことで改善されている。
【００４７】
また、抵抗値調整用抵抗に関しても、共に２０ＫΩの正特性抵抗２８５ａと負特性抵抗２８５ｂとが対で設けられ、さらに共に２０ＫΩの正特性抵抗２８５ｃと負特性抵抗２８５ｄも対で設けられる。そして、これらの抵抗値調整用抵抗のボンディングパッド３１側端子は何れもボンディングパッド３１へ直接的に共通接続され、他方の端子はそれぞれ個別に設けられたバッファアンプ２１ａ〜２１ｄへ別々に接続される。
【００４８】
このような構成の終端抵抗Ｒについて抵抗値調整作業を行うときは、先ず終端抵抗Ｒの抵抗値を低温状態および高温状態で測定する。例えば０゜Ｃの状態と７０゜Ｃの状態とで測定しておく。そして、それらの測定値が共に理想値の１００ΩであればそのＩＣはそのままとし、それらの測定値が共に９９Ωのときには正特性抵抗２８５ａ及び負特性抵抗２８５ｂの対か正特性抵抗２８５ｃ及び負特性抵抗２８５ｄの対かの何れか一対だけが切り離されるよう制御信号ＣＴＲＬのラインをリペアし、それらの測定値が共に９８Ωのときにはバッファアンプ２１ａ〜２１ｄ総てに対応する制御信号ＣＴＲＬの共通接続ラインを切断して、抵抗値調整作業を終える。
【００４９】
一方、０゜Ｃのときの測定値が９９Ωであるのに対し７０゜Ｃのときの測定値が１００Ωとなるような場合には、正特性抵抗２８５ａ，２８５ｃの何れかが切り離されるようバッファアンプ２１ａ又はバッファアンプ２１ｃの制御信号ＣＴＲＬのラインをリペアする。
他方、０゜Ｃのときの測定値が１００Ωであるのに対し７０゜Ｃのときの測定値が９９Ωとなるような場合には、負特性抵抗２８５ｂ，２８５ｄの何れかが切り離されるようバッファアンプ２１ｃｂ又はバッファアンプ２１ｄの制御信号ＣＴＲＬのラインをリペアする。
【００５０】
こうして、終端抵抗Ｒについての抵抗値調整作業に際して、正特性抵抗２８５ａ，２８５ｃや負特性抵抗２８５ｂ，２８５ｄを適宜選択して、それらに対応したバッファアンプへの制御信号ＣＴＲＬの共通接続ラインに対して調整作業が行われ、その結果、終端抵抗値が適正値に調整されるばかりか温度特性も安定したものとなる。
【００５１】
なお、上述の説明では、リペア作業をレーザカッティングでの切断によって行う場合を述べたが、それとは逆に、フォーカストイオンビーム等を用いて接続するようにしてもよい。また、両者を適宜使い分けてもよい。
また、パッケージングされたＩＣの各ボンディングパッドは外部バスライン等に対して一般にＩＣピンを介して接続されることととなる。
【００５２】
【発明の効果】
以上の説明から明らかなように、本発明の第１の解決手段のアクティブターミネータ用ＩＣにあっては、多数の終端抵抗を直接測定しなくて済むとともにバスライン接続用のパッドに対して付加パッドを並設するという必要も無くなるようにしたことにより、終端抵抗の測定が容易であって而も寄生容量が小さいアクティブターミネータ用ＩＣを実現することができたという有利な効果が有る。
【００５３】
また、本発明の第２の解決手段のアクティブターミネータ用ＩＣにあっては、既設のモニタ用バッファアンプを利用して抵抗値測定を行えるようにしたことにより、終端抵抗の測定が容易であって而も寄生容量が小さいアクティブターミネータ用ＩＣを回路規模の増大やレイアウト変更などを抑制しつつ実現することができたという有利な効果を奏する。
【００５４】
さらに、本発明の第３の解決手段のアクティブターミネータ用ＩＣにあっては、バスラインの一ライン分について終端抵抗の調整作業が終了すると他のラインについても自動的に所望の終端抵抗値が得られるようにしたことにより、終端抵抗の調整が容易なアクティブターミネータ用ＩＣを実現することができたという有利な効果が有る。
【００５５】
また、本発明の第４の解決手段のアクティブターミネータ用ＩＣにあっては、各ボンディングパッドごとにダミーパッドを付加しなくても、終端抵抗値の測定を一回で済ませるとともに、それに続く終端抵抗値の調整も一ライン分で済ませることが可能なようにしたことにより、終端抵抗の測定および調整が容易であって而も寄生容量が小さいアクティブターミネータ用ＩＣを実現することができたという有利な効果を奏する。
【００５６】
また、本発明の第５の解決手段のアクティブターミネータ用ＩＣにあっては、終端抵抗値の調整に際して温度特性についても調整可能なようにしたことにより、温度変化の激しい環境下であってもバスを安定して高速動作させうるアクティブターミネータ用ＩＣを提供することができたという有利な効果が有る。
【図面の簡単な説明】
【図１】  本発明のアクティブターミネータ用ＩＣの第１実施例について、その回路図である。
【図２】  終端抵抗の構成例である。
【図３】  本発明の第２実施例の回路である。
【図４】  本発明の第３実施例の回路である。
【図５】  従来の基本的なアクティブターミネータである。
【図６】  アンプ駆動のアクティブターミネータである。
【図７】  ＩＣ内抵抗値の調整手法を示す図である。
【図８】  ＩＣ内抵抗値の測定手法を示す図である。
【図９】  抵抗値測定可能なアクティブターミネータである。
【符号の説明】
２  レギュレータ
２ａ  バンドギャップ電圧源（基準電圧源）
７ａ，７ｂ，７ｃ，７ｄ  プローブピン（探触子）
１０，１１，１２  アクティブターミネータ用ＩＣ
２０  バッファアンプ（付加バッファアンプ、電圧モニタ用アンプ）
２１，２２，２ｎ  バッファアンプ（電流増幅器）
２０ａ，２１ａ，２２ａ，２ｎａ  バッファアンプ（電流増幅器）
２０ｂ，２１ｂ，２２ｂ，２ｎｂ  バッファアンプ（電流増幅器）
２１ｃ，２１ｄ  バッファアンプ（電流増幅器）
３０  ボンディングパッド（電圧検出用、モニタライン接続用パッド）
３１，３２，３ｎ  ボンディングパッド（電流強制用、バスライン接続用）
３１ａ，３２ａ，３ｎａ  ダミーパッド（電圧検出用パッド、付加パッド）
３７    ボンディングパッド（外付けコンデンサ接続用パッド）
３８    ボンディングパッド（制御信号ＣＴＲＬ入力用パッド）
３９    ボンディングパッド（電力供給用パッド）
４１，４２  ドライブユニット（バスに接続される回路・装置）
７１    パッド（電流強制用パッド）
７１ａ  パッド（電圧検出用パッド）
９１，９２  リペア部位（レーザカッティングポイント）
１００，２００，３００  アクティブターミネータ用ＩＣ
１３０    ダミーパッド（電流強制用パッド、付加パッド）
１３０ａ  ダミーパッド（電圧検出用パッド、付加パッド）
２８０    ダミー抵抗（付加抵抗）
２８０ａ，２８０ｂ  抵抗値調整用抵抗（付加抵抗に付設）
２８１    終端抵抗
２８１ａ，２８１ｂ  抵抗値調整用抵抗（終端抵抗に付設）
２８２    終端抵抗
２８２ａ，２８２ｂ  抵抗値調整用抵抗（終端抵抗に付設）
２８ｎ    終端抵抗
２８ｎａ，２８ｎｂ  抵抗値調整用抵抗（終端抵抗に付設）
２８３    正特性抵抗（終端抵抗）
２８４    負特性抵抗（終端抵抗）
２８５ａ，２８５ｃ  正特性抵抗（抵抗値調整用抵抗）
２８５ｂ，２８５ｄ  負特性抵抗（抵抗値調整用抵抗）
９００    リペア部位
９０１    レーザカッティングポイント（リペア部位）
９０２    レーザカッティングポイント（リペア部位）
Ｒ        終端抵抗
Ｒ０      付加抵抗
Ｖｕｐ    プルアップ電圧（所定電圧）
ＳＷ１，ＳＷ２，ＳＷｎ        スイッチ
ＢＵＳ１，ＢＵＳ２，ＢＵＳｎ  バスライン
【図１】
0003838388.tif 000002
【図２】
0003838388.tif 000003
【図３】
0003838388.tif 000004
【図４】
0003838388.tif 000005
【図５】
0003838388.tif 000006
【図６】
0003838388.tif 000007
【図７】
0003838388.tif 000008
【図８】
0003838388.tif 000009
【図９】
0003838388.tif 000010